(57)【要約】【課題】  OFF／SLEEPモード時に必要な電力を全て商用電源に依存する従来の画像形成装置において生じる省電力に対するマイナス要因を解消し、更なる省電力化を実現すること。【解決手段】  キャパシタ制御部１１２は、OFF／SLEEPモード時にも電源供給を必要とする電気部品１１４に、サブ電源として、商用主電源の使用時に生じた余分の電力を蓄電するキャパシタバンク１０５から、OFF／SLEEPモード時の電源を供給する制御を行う。又、OFF／SLEEPモード時のキャパシタ制御部へもキャパシタの電源を供給する。電源供給先への商用主電源⇔キャパシタ電源の切換え制御は、キャパシタ制御部１１２からの制御信号１１８によって行う。【選択図】        図４
2007240650.tif 000002
【特許請求の範囲】
【請求項１】
商用電源に繋いだ主電源及び主電源からの充電を受ける蓄電装置よりなる電源部と、
前記蓄電装置の充放電を制御する充放電制御部と、
前記電源部から供給先への電源の停止・切換えを行う電源供給制御部を有し、
前記電源供給制御部によって画像形成モード、待機モード、OFF／SLEEPモードの各動作時の電源供給を行うことが可能な画像形成装置であって、
OFF／SLEEPモードの動作時に、前記充放電制御部は、蓄電装置の放電制御を行うとともに、前記電源供給制御部は、放電された蓄電装置からの電源をOFF／SLEEPモード時の供給先へ供給する制御を行うことを特徴とする画像形成装置。
【請求項２】
請求項１に記載された画像形成装置において、
前記電源供給制御部は、OFF／SLEEPモード時に該当する供給先への電源を主電源と蓄電装置の間で切換える制御を行う手段を備えたことを特徴とする画像形成装置。
【請求項３】
請求項１又は２に記載された画像形成装置において、
前記蓄電装置に電気２重層コンデンサを用いることを特徴とする画像形成装置。
【請求項４】
請求項１乃至３のいずれかに記載された画像形成装置において、
蓄電装置からの電源の供給を受ける前記OFF／SLEEPモード時の供給先が、画像形成モードへの復帰用信号を発生する手段及びネットワーク監視手段の中の少なくとも１手段であることを特徴とする画像形成装置。
【請求項５】
請求項１乃至４のいずれかに記載された画像形成装置において、
蓄電装置からの電源の供給を受ける前記OFF／SLEEPモード時の供給先に前記充放電制御部を含むことを特徴とする画像形成装置。
【請求項６】
請求項５に記載された画像形成装置において、
前記電源供給制御部は、OFF／SLEEPモード時に、前記蓄電装置に充電された電荷が全て放電された場合に、前記充放電制御部への電源供給を停止させることを特徴とする画像形成装置。
【請求項７】
請求項５又は６に記載された画像形成装置において、
OFF／SLEEPモードへの移行に先立ち、前記充放電制御部は、蓄電装置の充電制御を行うことを特徴とする画像形成装置。
【請求項８】
商用電源に繋いだ主電源と主電源により充電され、充放電の制御が可能な蓄電装置よりなる電源部から供給先への電源の停止・切換を行うことにより、画像形成モード、待機モード、OFF／SLEEPモードの各動作時の電源供給を制御する電源供給制御方法であって、
OFF／SLEEPモードの動作時に、蓄電装置の電荷を放電する放電制御工程と、OFF／SLEEPモード時の供給先への電源を主電源と蓄電装置の間で切換えて、供給する電源制御工程を行うことを特徴とする電源供給制御方法。
【請求項９】
請求項８に記載された電源供給制御方法において、
蓄電装置からの電源の供給を受ける前記OFF／SLEEPモード時の供給先に前記蓄電装置の充放電制御部を含むことを特徴とする電源供給制御方法。
【請求項１０】
請求項９に記載された電源供給制御方法において、
OFF／SLEEPモード時に、前記蓄電装置に充電された電荷が全て放電された場合に、前記充放電制御部への電源供給を停止させる工程を行うことを特徴とする電源供給制御方法。
【請求項１１】
請求項８乃至１０のいずれかに記載された電源供給制御方法において、
OFF／SLEEPモードへの移行に先立ち、蓄電装置を充電する充電制御工程を行うことを特徴とする電源供給制御方法。
【請求項１２】
コンピュータを請求項８乃至１１のいずれかに記載された電源供給制御方法における各工程を実行するための手段として機能させるためのプログラム。
【発明の詳細な説明】
【技術分野】
【０００１】
本発明は、例えば、複写機、プリンタ、ファクシミリ、ＭＦＰ（コピー、プリンタ、スキャナ、ファクシミリ等の機能を複合して持つ装置）等のように、画像形成モード、待機モード、OFF／SLEEPモードでユーザの使用を待つ画像形成装置に関し、より詳細には、OFF／SLEEPモード時に電源供給を必要とするデバイス等に対し、主電源とサブ電源として設けた蓄電装置の電源で対応することを可能にする電源供給制御に関する。
【背景技術】
【０００２】
近年、環境問題が重要となり、複写機やプリンタ装置等の画像形成処理を行う装置においても省エネルギ（省電力）化が進んでいる。
この種の装置の中でも、特に電子写真方式の画像形成動作を行う装置におけるエネルギの消費の大きな要素は、トナーを記録媒体へ定着する際に用いるヒータの電力であり、省電力化の対象となっている。従来から省エネモードとして採用されている、OFFモード、SLEEPモード或いは待機モード（画像形成動作に必要な定着温度よりやや低い一定の温度に保たれる）において、定着用ヒータに対しても、それぞれの温度状態を保持することにより、省電力化が図られている。
また、画像形成動作に必要な定着温度にそれまでの装置状態の温度から立ち上げる動作、即ち、電源SW-ON、OFF、SLEEP、待機の各モード又はリカバリー動作状態からの立ち上げを行う際、立ち上げに要する時間を短縮化して高い省電力効果を得るようにし、又使用者に待ち時間を感じさせないために、早期復帰が求められる。
従って、この早期復帰の間に消費される電力は、かなり大きなものとなる。このために、充放電可能なキャパシタユニットを画像形成装置に装備し、定着温度への立ち上げ時にこのキャパシタに充電された電力を定着ヒータ用の補助電源に用いている画像形成装置がある。また、キャパシタに充電された電圧を、画像形成装置の定着部以外に対する電力供給用とすることで、商用電源からの電力をその分だけ多く定着ヒータに使用できるようにする方式のものもある。
上記のような補助電源を用いた従来技術を示す文献として、下記特許文献１記載の画像形成装置を例示することができる。この従来例では、消費電力に余裕が生じた場合に、主電源から供給される電力を蓄える蓄電装置を有し、画像形成装置として電力が不足するか、或いは更なる電力が必要となる場合に、画像形成動作時、待機時のいずれにあっても、蓄電装置からのＤＣ電源を補助電源として使用する方式が提案されている。
【０００３】
また、上記特許文献１と同様に、主電源からの充電を受ける蓄電装置をサブ電源として用いる画像形成装置の電源回路の従来例として、図１２を示すことができる。
図１２に示す回路において、キャパシタよりなる蓄電装置１０５は、定着ＤＣヒータ１４０を駆動するための電源として、専ら用いられる。蓄電装置１０５に対する充放電は、充電器１０７、DC／DCコンバータ１０８を介して行われる。
充電器１０７は、DC／DCコンバータ（DDC）１０６を有し、充電時に、主電源である電源部１２７から供給される電源１０５をこのコンバータによって、キャパシタよりなる蓄電装置１０５の定格電圧に合せて電圧変換する。なお、電源部１２７は、商用AC電源に繋げ、常時電源供給が可能である。
DC／DCコンバータ１０８は、放電時に、充電器１０７に充電された電圧１２１，１２２を定着ＤＣヒータ１４０に供給する電圧１２３に変換する。
画像形成動作時及びOFF、SLEEP、待機の各モードにわたって、常時電力供給が必要な電気部品１１４へは、電源部１２７から電源１１９が供給される。この電気部品１１４は、例えば、除湿ヒータ１３１、OFF／SLEEPモードからの復帰要因となる動作を感知して復帰用信号を発生するADF原稿センサ１２９、原稿セットセンサ１３０等が挙げられる。
キャパシタ制御部１１２は、充電ON／OFF信号１１６，放電ON／OFF信号１１７により、所定のタイミングでキャパシタ１０５の充放電を制御する。また、キャパシタ制御部１１２は、画像形成装置の主制御部（不図示）からの信号１２６により、OFF／SLEEPモードとその他のモードを判別可能とする。キャパシタ制御部１１２には、上記制御機能を実現する手段として、ROM１１０に格納されたプログムラやデータに従って、演算機能等を実行するCPU１０９、CPU１０９が実行するためのプログラムやデータを格納したROM１１０、CPU１０９のワークエリアとして使用されるRAM１１１等を備える。
電源部１２７は、画像形成動作、OFF、SLEEP、待機の各モードに常時使用され、必要な電源を、商用電源１２８から生成している。電源部１２７で生成された各電源は、キャパシタ制御部の電源１２５，蓄電装置１０５充電用の電源１１５、OFF、SLEEPの各モードにも電源の供給が必要な電気部品１１４に供給される。
【特許文献１】特開２００４−２６６９８４号公報
【発明の開示】
【発明が解決しようとする課題】
【０００４】
しかしながら、上記した従来技術には次の問題がある。即ち、特許文献１では、サブ電源（キャパシタ）からの電力の供給は、画像形成動作時或いは待機モード時において行われているので、OFFモード又はSLEEPモード（以下、「OFF／SLEEPモード」と記す）において、サブ電源（キャパシタ）を利用するという考えは無い。また、図１２の例でも、サブ電源（キャパシタ）は、専ら定着ＤＣヒータに用いているので、OFF／SLEEPモードにおいて電源を必要とする電気部品等に用いる、という発想はない。
よって、いずれの従来例においても、OFF／SLEEPモード時においては、必要な電力は全て商用電源の電力に依存する仕組みとなっている。なお、OFFモード時の電源は、上記の電気部品等のほか、これらの電気部品を監視している主制御部にも供給される。また、SLEEPモード時は、OFFモード時の供給先に加えて、USB等のネットワーク監視部分が立ち上がっているので、ここへも電源が供給される。また、結露防止を目的として、OFF／SLEEPモード時のみに除湿ヒータをONしている構成もある。
従って、OFF／SLEEPモード時においては、上記した供給先へ数十W程度の電力源が必要となる。この程度の電力源であっても、商用電源からの供給による場合には、省電力にとっては、マイナス要因となるし、又環境や電気代への負担となるので、この負担を減らすことが求められるが、上記した従来技術においても考慮されていないように、これまで対応策が提案されず、未解決となっている。
本発明は、OFF／SLEEPモード時の動作を行う省電力機能を備えた従来の画像形成装置において生じる上記したマイナス要因を解消し、更なる省電力化を図ることを解決すべき課題とする。
【課題を解決するための手段】
【０００５】
請求項１の発明は、商用電源に繋いだ主電源及び主電源からの充電を受ける蓄電装置よりなる電源部と、前記蓄電装置の充放電を制御する充放電制御部と、前記電源部から供給先への電源の停止・切換えを行う電源供給制御部を有し、前記電源供給制御部によって画像形成モード、待機モード、OFF／SLEEPモードの各動作時の電源供給を行うことが可能な画像形成装置において、OFF／SLEEPモードの動作時に、前記充放電制御部は、蓄電装置の放電制御を行うとともに、前記電源供給制御部は、放電された蓄電装置からの電源をOFF／SLEEPモード時の供給先へ供給する制御を行うことを特徴とし、このようにすることによって上記課題を解決するものである。
請求項２の発明は、請求項１に記載された画像形成装置において、前記電源供給制御部は、OFF／SLEEPモード時に該当する供給先への電源を主電源と蓄電装置の間で切換える制御を行う手段を備えたことを特徴とし、このようにすることによって上記課題を解決するものである。
【０００６】
請求項３の発明は、請求項１又は２に記載された画像形成装置において、前記蓄電装置に電気２重層コンデンサを用いることを特徴とし、このようにすることによって上記課題を解決するものである。
請求項４の発明は、請求項１乃至３のいずれかに記載された画像形成装置において、蓄電装置からの電源の供給を受ける前記OFF／SLEEPモード時の供給先が、画像形成モードへの復帰用信号を発生する手段及びネットワーク監視手段の中の少なくとも１手段であることを特徴とし、このようにすることによって上記課題を解決するものである。
【０００７】
請求項５の発明は、請求項１乃至４のいずれかに記載された画像形成装置において、
蓄電装置からの電源の供給を受ける前記OFF／SLEEPモード時の供給先に前記充放電制御部を含むことを特徴とし、このようにすることによって上記課題を解決するものである。
請求項６の発明は、請求項５に記載された画像形成装置において、前記電源供給制御部は、OFF／SLEEPモード時に、前記蓄電装置に充電された電荷が全て放電された場合に、前記充放電制御部への電源供給を停止させることを特徴とし、このようにすることによって上記課題を解決するものである。
請求項７の発明は、請求項５又は６に記載された画像形成装置において、OFF／SLEEPモードへの移行に先立ち、前記充放電制御部は、蓄電装置の充電制御を行うことを特徴とし、このようにすることによって上記課題を解決するものである。
【０００８】
請求項８の発明は、商用電源に繋いだ主電源と主電源により充電され、充放電の制御が可能な蓄電装置よりなる電源部から供給先への電源の停止・切換を行うことにより、画像形成モード、待機モード、OFF／SLEEPモードの各動作時の電源供給を制御する電源供給制御方法において、OFF／SLEEPモードの動作時に、蓄電装置の電荷を放電する放電制御工程と、OFF／SLEEPモード時の供給先への電源を主電源と蓄電装置の間で切換えて、供給する電源制御工程を行うことを特徴とし、このようにすることによって上記課題を解決するものである。
【０００９】
請求項９の発明は、請求項８に記載された電源供給制御方法において、蓄電装置からの電源の供給を受ける前記OFF／SLEEPモード時の供給先に前記蓄電装置の充放電制御部を含むことを特徴とし、このようにすることによって上記課題を解決するものである。
請求項１０の発明は、請求項９に記載された電源供給制御方法において、OFF／SLEEPモード時に、前記蓄電装置に充電された電荷が全て放電された場合に、前記充放電制御部への電源供給を停止させる工程を行うことを特徴とし、このようにすることによって上記課題を解決するものである。
請求項１１の発明は、請求項８乃至１０のいずれかに記載された電源供給制御方法において、OFF／SLEEPモードへの移行に先立ち、蓄電装置を充電する充電制御工程を行うことを特徴とし、このようにすることによって上記課題を解決するものである。
【００１０】
請求項１２発明は、コンピュータを請求項８乃至１１のいずれかに記載された電源供給制御方法における各工程を実行するための手段として機能させるためのプログラムによって上記課題を解決するものである。
【発明の効果】
【００１１】
本発明によると、主電源として用いる商用電源の使用時に生じた余分の電力を蓄電装置に充電し、OFF／SLEEPモード時に電源の供給が必要な構成部品（特に、蓄電装置の充放電制御部もこの構成部品に含め）への電力をこの蓄電装置から供給することによって、従来、OFF／SLEEPモード時に使用していた電力を商用電源に代えてまかなうようにしたので、省電力効果をより大きくすることが可能になる。
また、OFF／SLEEPモード時に、蓄電した蓄電装置の電源を全て放電した場合に、充放電制御部への電源供給を停止させるようにしたので、さらに消費電力を低減できる（請求項６，１０）。
また、OFF／SLEEPモードへの移行に先立ち、蓄電装置の充電を行うようにしたことにより、OFF／SLEEPモード時に蓄電装置からの電力を長期に使用できるので、省電力に寄与し、動作を安定化させる（請求項７，１１）。
また、プログラムによりOFF／SLEEPモード時に電源の供給が必要な構成部品への所期の電源供給の制御機能を装備するようにしたので、容易に機能実現手段を構成することが可能になる（請求項１２）。
【発明を実施するための最良の形態】
【００１２】
以下に、本発明に係わる実施形態を説明する。
なお、以下に示す実施形態は、本発明を電子写真方式のカラー複写機をベースにしたＭＦＰに実施した形態を示す。ただ、ＭＦＰは１実施例であり、これ以外の画像形成装置である、複写機、プリンタ、ファクシミリ、ＭＦＰ等の画像形成装置に実施しても良い。また、形成する画像はカラーである必要は無く、モノクロ画像であっても、本例と同様に実施可能である。
「ＭＦＰ（複合型画像形成装置）の概要」
図１は、本発明の実施形態に係わる電子写真方式のカラー複写機をベースにしたＭＦＰの概略構成を示す。
図１に示すＭＦＰにおいて、装置の略中央に画像形成部１が配置され、画像形成部１の下方に給紙部２が配置されている。給紙部２は、各段に給紙トレイ２１を備えており、必要に応じて別の給紙装置２２を増設することができる。画像形成部１の上方には、原稿を読取る読取部３が配設されている。画像形成部１の左側には排紙収納部４が形成され、画像形成された記録紙が排紙収納される。
画像形成部１は、所謂タンデム方式と呼ばれる方式でカラー画像を作成するための仕組みを有し、無端ベルト状の中間転写ベルト５の上に、各色成分（通常、イエロー：Ｙ、マゼンタ：Ｍ、シアン：Ｃ、ブラック：ＢＫ）の作像部６が並列配置され、各々、感光体ドラム６１と、その周囲に、帯電装置６２、レーザ光による走査露光装置７、トナーによる現像装置６３及びトナーのクリーニング装置６４とを備える。
この方式の作像プロセスでは、感光体ドラム６１に形成された各色成分のトナー画像が、感光体ドラム６１と同期回転する中間転写ベルト５に転写される過程で重ね合わされ、カラー画像として合成される。
また、中間転写ベルト５上に転写されたカラー画像は、給紙部２から供給される記録紙に転写装置５１によって転写される。
給紙部２においては、給紙トレイ２１に未使用の記録紙が収納されており、回動可能に支持された底板２４が最上位の記録紙をピックアップローラ２５に当接可能な位置まで上昇させる。底板２４の上昇によりピックアップローラ２５に当接した記録紙は、給紙ローラ２６，２７の回転により、最上紙は給紙トレイ２１から送り出され、レジストローラ２３へと搬送される。
レジストローラ２３は、記録紙の搬送を一時止め、感光体ドラム６１から転写された中間転写ベルト５上のトナー像と記録紙の先端との位置関係が所定の位置になるタイミングで、再び回転を開始するように制御される。
転写装置５１によってトナー像が転写された記録紙は、排紙収納部４への処理経路に配置された定着装置８を通して、トナー像が記録紙に定着される。定着処理は、トナー像の載った記録紙をヒータにより高温に加熱されたローラ間を通すことで、記録紙にトナー像を圧着させる。
【００１３】
読取部３では、ブック読取りとシートスルー読取りの両方の読取り動作を可能とする。ブック読取りは、原稿台（コンタクトガラス）３３上に載置される原稿（不図示）を読取光学系で走査し、結像面に置かれたイメージセンサとしてのＣＣＤ（Charge Coupled Device）で原稿画像を変換する。シートスルー読取りは、読取部３の上部に搭載されたＡＤＦ（自動原稿搬送装置）３６によってシート原稿を搬送しながら、読取り位置にクランプされた読取光学系を介してＣＣＤで（ブック読取りと共用）原稿画像を変換する。なお、ＡＤＦは、原稿トレイに束ねてセットされた原稿を１枚づつ自動搬送する。
ＣＣＤにより読込まれた画像信号は、デジタル化され、画像形成出力用データを得るため、補正・変換等の画像処理が施される。
画像処理により得られた画像形成出力用データに基づいて、走査露光装置７内のＬＤ：レーザダイオード（不図示）の発光を制御することにより、感光体ドラム６１に光書込みを行い、感光体表面に静電潜像が形成される。なお、光書込みは、主・副２次元走査方式で行われ、ＬＤからの走査光ビームは、主走査に係わる回転ポリゴンミラー、ｆθ等の補正レンズや伝達光学系を介して、副走査方向に回転する感光体ドラム６１の感光体表面に投射される。
なお、本例ではＭＦＰとして、上述した複写機能の他に、ＦＡＸ機能、プリンタ機能及びスキャナ機能を持つ。ＦＡＸ機能は、ＦＡＸ送信において、読取部３で原稿を読取った後、ＦＡＸ信号に変換し、通信回線への送信を行い、又ＦＡＸ受信において、通信回線から送られて来るＦＡＸ信号を受取った後、プリント出力用データへの処理を経て、画像形成部１で画像形成を行う。また、プリンタ機能は、ＰＣ等のホスト機からプリント出力を要求して送られて来る印刷データを受け取った後、プリント出力用データへの処理を経て、画像形成部１で画像形成を行う。また、プリンタ機能は、ＰＣ等のホスト機からのスキャナ配信要求に応えて、読取部３で原稿を読取った原稿画像データをホスト機で利用可能な形式のデータへ処理し、通信手段を介して送信する。なお、これらの機能自体は、既存の技術であるから、ここでは、詳細な説明を省略する。
【００１４】
上記ＭＦＰは、電力により駆動されるので、複写、ＦＡＸ、プリンタ、スキャナの各機能を利用する際、動作させる各種デバイスに電力を供給するための電源回路を持つ。
この電源回路は、普通、商用電源に繋いだ主電源から各種デバイスそれぞれに合う電圧の使用電源を供給するように構成される。また、主電源装置から各種デバイスへの電源供給は、使用するモードや機能により異なるので、利用時に行われるユーザの設定条件に従い、主制御部は、主電源装置からの電源を動作させる各種デバイスへ供給する電源供給制御を行う。
主制御部は、ＣＰＵを有し、ＣＰＵにより各種のプログラムをドライブすることにより装置全体を制御するための機能を提供し、この機能の一部に前記した電源供給制御が含まれる。
本実施形態は、電源供給制御による省電力動作に係わる。なお、電源供給制御は、本案において解決課題とする省電力時の動作以外に、ユーザが利用時に設定した機能や動作条件に従って、複写、ＦＡＸ、プリンタ、スキャナ等の動作に関係するデバイスに必要な電源を供給するが、ここでは、省電力動作を行う場合の電源供給制御が主要な課題であるから、ここでは詳細な説明を省略する。
【００１５】
従来から行われている電源供給制御による省電力動作として、待機モード、OFFモード及びSLEEPモードがある。
待機モードでは、画像形成動作へ直ぐに移行できるスタンバイ状態（即ち、最も立上げに時間のかかる、例えば定着ヒータといった電源供給先でも、短い時間で立上げることが可能な状態）で装置を待機させるようにする。また、OFFモードでは、画像形成が可能な動作状態へ復帰させるためのデバイス（例えば、原稿セットセンサ、ADF開閉センサ、電源キーSW等）と、このデバイスを監視している主制御部のみが立ち上がっており、その他のデバイスには電源供給が行われない。SLEEPモード時は、OFFモード時における前記デバイスに加えて、USB等のネットワーク監視部分が立ち上がっているだけが違っている。ただ、省電力動作と関係無く、結露防止を目的として、OFF／SLEEPモードの省電力動作時のみに除湿ヒータをONするために、電源供給を行う構成もある。
本実施形態では、上記したOFF／SLEEPモードにおいて、サブ電源として設けた蓄電装置の電源を使用する。ここで用いる蓄電装置は、商用電源に繋いだ主電源の使用時に生じる余分の電力を蓄えておき、これをOFF／SLEEPモードの電源として用いることにより、従来、OFF／SLEEPモード時に使用していた商用電源をできるだけ消費せず、省電力効果をより大きくすることを可能にする。
以下に、サブ電源として設けた蓄電装置からOFF／SLEEPモード時に電源の供給が必要な電気部品等（例えば、OFF／SLEEPモードからの復帰要因となる動作を感知して復帰用信号を発生するデバイスや主制御部を構成する回路など）への電源を供給することを可能にした電源回路部の異なる形態の実施例を「実施形態１」〜「実施形態５」として分説する。
【００１６】
「実施形態１」
本実施形態には、OFF／SLEEPモード時に電源の供給が必要な電気部品等にサブ電源として設けた蓄電装置から電源を供給する電源回路部の基本構成を示す。
図２は、サブ電源としての蓄電装置を備えた本実施形態に係る電源回路部の構成を示す。
図２に示す電源回路部における電源装置は、主電源として商用電源１２８に繋げた電源部１２７と、サブ電源として電源部１２７から充電を受けるキャパシタバンクよりなる蓄電装置１０５を有する。
キャパシタバンク１０５中には、キャパシタセル１０１，１０２・・・・を直列回路で構成した回路がある。また、キャパシタセル１０１，１０２・・・・には、それぞれ並列にバランス回路１０３，１０４・・・・を備えている。キャパシタセル１０１，１０２・・・・は容量差、内部インピーダンス差といった個体差があり、それぞれのキャパシタセルの充電時間は異なる。仮にキャパシタバンク電圧を目標に充電した場合、キャパシタセルによっては定格電圧を超えて充電され信頼性を損なうことになる。又１個のキャパシタセルが定格電圧になったことを検出し、充電を止めた場合には、キャパシタバンク電圧が目標の電圧に到達せずにキャパシタバンクのエネルギーを十分に得られないことがある。そこで、充電が完了したキャパシタセルから順に充電電流をバイパスして、最終的に全てのキャパシタセル１０１，１０２・・・・の充電電圧を同じにするために、このバランス回路１０３，１０４・・・・を設けている。
なお、この蓄電装置１０５に用いるキャパシタセル１０１，１０２・・・・は、電気２重層コンデンサを採用できる。電気２重層コンデンサの特性は、放電に従い端子電圧が低下するので、DC／DCコンバータ（DDC）を用いる必要がある。
【００１７】
キャパシタバンク１０５に対する充放電は、充電器１０７、DC／DCコンバータ（DDC）１０８を介して行われる。
充電器１０７は、キャパシタバンク１０５を充電する。この充電器１０７には、電源部１２７からキャパシタバンク充電用の電源１１５が入力される。キャパシタバンク充電用の電源１１５は、待機、動作、OFF／SLEEPモードといった画像形成装置の全ての動作モードにて、常時使用されている電源とする。このキャパシタバンク充電用の電源１１５は、キャパシタバンク１０５の定格電圧に合わせてDDC１０６で電圧変換される。
キャパシタバンク１０５の放電側に設けたDDC１０８は、キャパシタバンク１０８からの電源１２１，１２２を充電器１０７経由で電気部品１１４へ供給する際に、供給先で必要な電圧に変換するコンバータである。
電気部品１１４は、OFF／SLEEPモード時に電力供給が必要な部品である。この電気部品１１４として、ここでは、除湿ヒータ１３１、OFF／SLEEPモードからの復帰要因となる動作を感知して復帰用信号を発生するADF原稿センサ１２９、原稿セットセンサ１３０を例示している。
【００１８】
キャパシタ制御部１１２は、充電ON／OFF信号１１６，放電ON／OFF信号１１７により、所定のタイミングでキャパシタバンク１０５の充放電を制御する。また、キャパシタ制御部１１２は、画像形成装置の主制御部（不図示）からの信号１２６により、OFF／SLEEPモードとその他のモードを判別可能とする。キャパシタ制御部１１２には、上記制御機能を実現する手段として、ROM１１０に格納されたプログムラやデータに従って、演算機能等を実行するCPU１０９、CPU１０９が処理を実行するためのプログラムやデータを格納したROM１１０、CPU１０９のワークエリアとして使用されるRAM１１１等を備える。
電源部１２７は、画像形成動作、OFF、SLEEP、待機の各モードで必要な電源を、商用電源１２８から生成している。電源部１２７で生成された各電源は、キャパシタ制御部１１２の電源１２５，蓄電装置１０５充電用の電源１１５として供給される。
画像形成装置がOFF／SLEEPモードの状態においては、キャパシタ制御部１１２がOFF／SLEEPモードを検出して、充電OFF信号１１６を発生させ、この信号により充電器１０７を動作させて、キャパシタバンク１０５への充電を停止させる。また同時に、放電ON信号１１７を発生させ、この信号によりDDC１０８を動作させてキャパシタバンク１０５から供給先への放電を開始する。この動作により、キャパシタバンク１０５からOFF／SLEEPモード時に電源を必要とする電気部品１１４に電源供給を行うことができる。
【００１９】
OFF／SLEEPモード時にキャパシタバンク１０５からの電源を供給する電源回路の上記した基本動作によって、OFF／SLEEPモード時に電源を必要とする電気部品１１４でキャパシタバンク１０５に蓄電した電力を利用することが可能になる。
ただ、この電気部品１１４は、本例のように除湿ヒータ１３１、ADF原稿センサ１２９、原稿セットセンサ１３０であれば、OFF／SLEEPモード時以外の画像形成動作時や待機モード時においても電源供給が必要で、つまり常時、電源供給が必要となる。従って、こうした条件の電気部品１１４に対しては、OFF／SLEEPモード時以外は、主電源である電源部１２７（商用電源１２８に繋がる）から電源を供給し、電源が変っても、電気部品１１４には、継続して電源供給を行うようにするための切換え回路を付加することが望ましい。
そこで、電気部品１１４への電源供給をキャパシタバンク１０５と電源部１２７の一方から他方へ切換える電源切換え回路を付加することにより、電源供給を常時必要とする電気部品１１４への電源回路としての回路構成上の要求に応える。なお、図２に示した電源回路部には、この電源切換え回路１１３を付加した例が示されている。
図２に示す電源切換え回路１１３は、キャパシタ制御部１１２からの制御信号１１８により、キャパシタバンク１０５系統の電源１２３と電源部１２７系統の電源１１９を切換える。
【００２０】
図３は、電源切換え回路１１３の内部構成の１例を示す。
電源切り換え回路１１３は、OFF／SLEEPモードに電力供給が必要な電気部品１１４への電源１２４を、キャパシタバンク１０５からの電源１２３と、商用電源１２８から電源部１２７によって所定電圧のＤＣに変換された電源１１９を切換える回路である。商用電源部１２７からの電源１１９は、待機モード、画像形成動作、OFF／SLEEPモードといった全ての動作モードにて、常時使用可能な電源とする。
電源切り換え回路１１３は、FET（Field Effect Transistor）１３２，１３３等の素子を用いた簡易な回路で、キャパシタ制御部１１２からの切換制御信号１１８によって、電源１１９と電源１２３を切り換える。
画像形成装置がOFF／SLEEPモードに移行した際には、主制御部（不図示）からの制御信号１２６を受取るキャパシタ制御部１１２がOFF／SLEEPモードを制御信号１２６から検出して、充電OFF信号１１６によって、キャパシタバンク１０５への充電を停止し、放電ON信号１１７よって、DDC１０８を動作させてキャパシタバンク１０５からの放電を開始する。
その後、商用電源部１２７からの電源１１９と、キャパシタバンク１０５からの電源１２３の切換を制御する、キャパシタ制御部１１２からの切換制御信号１１８をhighレベルに変化させる。これによって、インバータ１４２の出力側はlowレベルとなり、トランジスタQ１３９がOFF、又FET１３３がOFFして、商用電源部１２７からの電源１１９の電源供給は停止される。また、インバータ１４３の出力側はlowレベル、インバータ１４４の出力側はhighレベルとなる。これによって、トランジスタQ１３８がON、FET１３２がONして、キャパシタバンク１０５からの電源１２３が、OFF／SLEEPモードに電力供給が必要な電気部品１１４への電源１２４として供給される。
【００２１】
他方、画像形成装置がOFF／SLEEPモードから復帰した際には、主制御部（不図示）からの制御信号１２６を受取るキャパシタ制御部１１２がOFF／SLEEPモードからの復帰を制御信号１２６から検出して、商用電源部１２７からの電源１１９と、キャパシタバンク１０５からの電源１２３の切換を制御する、キャパシタ制御部１１２からの切換制御信号１１８をlowレベルに変化させる。これによって、インバータ１４３の出力側はhighレベル、インバータ１４４の出力側はlowレベルとなる。このため、トランジスタQ１３８がOFF，FET１３２がOFFして、キャパシタバンク１０５からの電源１２３の電源供給は停止される。また、インバータ１４２の出力側はhighレベルとなり、トランジスタQ１３９がON、FET１３３がONして、商用電源部１２７からの電源１１９が、OFF／SLEEPモードに電力供給が必要な電気部品１１４への電源１２４として供給される。
上記のように電源回路を構成することにより、OFF／SLEEPモード時に電源を必要とする電気部品１１４への電源供給を、OFF／SLEEPモードから画像形成動作モードへの復帰する際、又画像形成動作モードからOFF／SLEEPモードへ移行する際に、OFF／SLEEPモード時にキャパシタに蓄電された電源を用い、画像形成動作モード時に商用電源を用いる、というように、各モードで電源が変っても、電気部品１１４には、継続して電源供給を行うことを可能にする。
【００２２】
「実施形態２」
本実施形態は、サブ電源として設けた蓄電装置を備えた電源回路部の基本構成として示した上記「実施形態１」の回路（図２）をベースに、OFF／SLEEPモード時にキャパシタに蓄電された電源の供給先として、キャパシタ制御部１１２を加えた電源回路部を示す。つまり、図２に示した電源回路部において、OFF／SLEEPモードに電力供給が必要な電気部品１１４をサブ電源の供給先としているが、この供給先にキャパシタ制御部１１２を加えることにより、サブ電源として設けた蓄電装置の利用によるメリットを更に大きくすることを狙いとする。
図４は、サブ電源としての蓄電装置を備えた本実施形態に係る電源回路部の構成を示す。
図４に示す電源回路部は、上記「実施形態１」の回路（図２）において電気部品１１４への電源供給を、電源切換え回路１１３によって、電源１１９と電源１２３との間で切り換えるようにしたと同様に、キャパシタ制御部１１２に対しても、電源切換え回路 (II)１４８を設け、キャパシタバンク１０５系統の電源１４７と電源部１２７系統の電源１２５の供給を切換えることを可能にする。
図４に示す本実施形態の電源回路は、電源切換え回路 (II)１４８を新たに設けた以外に、先の実施形態に示した電源回路（図２）と変わらない。なお、本実施形態では、電源切換え回路 (II) １４８を設けたので、当然、図２に示した電源部１２７から常時キャパシタ制御部１１２に直接に供給可能とした電源１２５は存在しない。又、電源切換え回路 (I) １１３は、図２に示した電源切換え回路１１３と同一の回路である。
【００２３】
電源切換え回路 (II) １４８では、キャパシタ制御部１１２からの切換制御信号１１８を受け、商用電源により生成された、待機モード、画像形成動作、OFF／SLEEPモードといった全ての動作モードにて、常時使用可能な電源１２５と、キャパシタバンク１０５からDDC１０８経由で供給される電源１４７とで切換え、いずれかの電源をキャパシタ制御部１１２の電源１４６として供給することができる。
電源切換え回路 (II) １４８は、切換制御信号１１８によって動作するRelay１４０等の簡易な素子を用いて構成し得る。また、キャパシタバンク１０５から供給される電源１４７が、キャパシタ制御部１１２で利用できる電源と電圧レベルが違う場合は、DDC４５等の電圧変換ＩＣを用いて変換するようにしても良い。
画像形成装置がOFF／SLEEPモードに移行した際には、主制御部（不図示）からの制御信号１２６を受取るキャパシタ制御部１１２がOFF／SLEEPモードを検出して、充電OFF信号１１６を発生させ、この信号により充電器１０７を動作させて、キャパシタバンク１０５への充電を停止させる。また同時に、放電ON信号１１７を発生させ、この信号によりDDC１０８を動作させて、キャパシタバンク１０５から供給先への放電を開始する。この動作により、キャパシタバンク１０５からOFF／SLEEPモード時に電源を必要とするキャパシタ制御部１１２に電源供給を行うことができる。なお、「実施形態１」に示したように、同じタイミングでOFF／SLEEPモード時に電源を必要とする電気部品１１４へもキャパシタから電源１２３，１２４を供給する。
【００２４】
ただ、このキャパシタからの電源は、OFF／SLEEPモード時にのみキャパシタ制御部１１２に電源供給を行うので、電源切換え回路 (II) １４８において切換えられる一方の電源１４７として、この切換え回路に入力される。
また、電源切換え回路 (II) １４８において切換えられる他方の電源である、商用電源から電圧変換され、供給される電源１２５と、キャパシタからの電源１４７を切り換える切換制御信号１１８がキャパシタ制御部１１２から入力される。このキャパシタ制御部１１２からの切換制御信号１１８がhighレベルになれば、トランジスタ１４９がONして、Relay１４０の接点が、キャパシタからの電源１４７に切り替わる。これにより、キャパシタ制御部１１２の電源用にキャパシタからの電源１４７を供給できる。
他方、画像形成装置が、OFF／SLEEPモードから復帰した際には、主制御部（不図示）からの制御信号１２６を受取るキャパシタ制御部１１２がOFF／SLEEPモードからの復帰を検出して、切換制御信号１１８をlowレベルに切換える。切換制御信号１１８がlowレベルに切換われば、トランジスタ１４９がOFFして、Relay１４０の接点が、待機モードと画像形成動作モードの動作にても使用可能な商用電源側の電源１２５に切り替わる。これにより、キャパシタ制御部１１２の電源用に電源１２５を供給できる。
【００２５】
「実施形態３」
本実施形態は、サブ電源として設けた蓄電装置を備えた電源回路部として示した上記「実施形態２」の回路（図４）をベースに、OFF／SLEEPモード時にキャパシタに蓄電された電源の供給動作を確実に行うことを可能にする仕組みを備えた電源回路部を示す。
この仕組みは、「実施形態２」の電源回路（図４）におけるキャパシタ制御部１１２にキャパシタの充電状態とキャパシタの放電動作状態の検出結果をフィードバックすることにより、キャパシタ制御部１１２が出力する制御信号である、充電ON／OFF信号１１６、放電ON／OFF信号１１７及び切換制御信号１１８を適正なタイミングで出力することを可能にするものである。なお、以下の実施形態（図５）では、図４の電源回路をベースにした例を示すが、図２の電源回路を対象に実施しても良いことは、勿論である。
図５は、サブ電源としての蓄電装置を備えた本実施形態に係る電源回路部の構成を示す。
図５に示す電源回路部において、上記したフィードバックを行うために、充電器１０７でキャパシタの充電動作及びキャパシタの充電電圧を検出し、これらの検出結果をキャパシタの充電状態のフィードバック信号１５０として、キャパシタ制御部１１２に出力する。また、DDC１０８でキャパシタの放電動作を検出し、この検出結果をキャパシタの放電状態のフィードバック信号１５１として、キャパシタ制御部１１２に出力する。この点が「実施形態２」の電源回路（図４）と異なるが、それ以外は、ハードウェア構成上の違いがない。
【００２６】
ここで、上記の構成を有する電源回路において、キャパシタ制御部１１２が行う、OFF／SLEEPモード時に電力供給が必要な電気部品等（電気部品１１４、キャパシタ制御部１１２等）への電源供給の制御動作を説明する。
図６は、OFF／SLEEPモードへ移行する際の本実施形態に係わる電源供給動作の制御フロー図を示す。
この制御フローは、主制御部（不図示）が発するOFF／SLEEPモードの指示を受取るキャパシタ制御部１１２の制御動作に従って実行される。キャパシタ制御部１１２は、指示に従って制御部内のＣＰＵ１０９によってOFF／SLEEPモード時の電源供給動作を実行する制御プログラムをドライブすることにより、この制御フローの動作を実行する。
この電源供給の制御フローの始めに、画像形成装置がOFF／SLEEPモード以外の状態から、OFF／SLEEPモードヘ移行する場合、移行後のモードの動作に必要な制御条件を整える（ステップＳ１０１）。
移行後のOFF／SLEEPモードの動作として、先ず、強制的にキャパシタへの充電を停止させる動作を開始する（ステップＳ１０２）。充電停止は、キャパシタ制御部１１２から充電器１０７に充電OFF信号１１６を送信し、充電OFF信号１１６に従って充電器１０７で充電停止の動作行うことによる。
【００２７】
充電器１０７は、充電停止状態を検出し、検出時に停止状態をキャパシタ制御部１１２にフィードバック信号１５０として知らせる。従って、キャパシタ制御部１１２は、所定のタイミングで充電停止状態を知らせるフィードバック信号１５０をチェックし、チェック結果により、実際に充電を停止させた状態であることが確認できる（ステップＳ１０３-YES）まで、このフィードバック信号１５０のチェックを繰り返す。
キャパシタが充電停止状態であることを確認した後、キャパシタからの放電動作を開始する（ステップＳ１０４）。キャパシタからの放電は、キャパシタ制御部１１２からDDC１０８に放電ON信号１１７を送信し、放電ON信号１１７に従ってDDC１０８でキャパシタバンク１０５から放電される電圧を変換し、電源１２３として供給する。
このとき、DDC１０８は、放電状態を検出し、検出時に放電状態をキャパシタ制御部１１２にフィードバック信号１５１として知らせる。従って、キャパシタ制御部１１２は、所定のタイミングで放電状態を知らせるフィードバック信号１５１をチェックし、チェック結果により、実際に放電を行っている状態であることが確認できる（ステップＳ１０５-YES）まで、このフィードバック信号１５１のチェックを繰り返す。
キャパシタが放電状態であることを確認した後、次にキャパシタ制御部１１２は、電源切換え回路 (I) １１３及び電源切換え回路 (II) １４８にhighレベルの切換制御信号１１８を送信し、これまで（OFF／SLEEPモードへ移行するまで）電気部品１１４、キャパシタ制御部１１２にそれぞれ供給していた商用電源側の電源１１９、電源１２５から、キャパシタバンク１０５からDDC１０８経由で供給される電源１２３、電源１４７に切換えて、供給し（ステップＳ１０６）、この制御フローを抜ける。なお、このときの電源切換え回路 (I) １１３及び電源切換え回路 (II) １４８の動作は、それぞれ上記「実施形態１」にける電源切換え回路１１３（図３）の説明、上記「実施形態２」にける電源切換え回路 (II) １４８（図４）の説明に示す通りである。
【００２８】
また、上記電源回路（図５）における、OFF／SLEEPモード時に電力供給が必要な電気部品等への電源供給制御のもう１つの実施例を説明する。
上記電源回路（図５）における電源供給制御のフロー（図６）では、キャパシタバンク１０５に蓄電できる容量が十分に大きく、OFF／SLEEPモードの間の消費によっても、電源切れが生じることがないという場合には、動作上問題が起きない。
ただ、仕様によっては、電源切れが生じる可能性がある場合には、電源を確保し、動作を保証することが必要になる。そこで、以下に示す実施例では、キャパシタの充電電圧における電圧の低下をチェックし、キャパシタの電源が切れる前に、電源を商用電源側に切換え、必要な電源を確保することを可能にする。
キャパシタ制御部１１２は、high／lowレベルの切換制御信号１１８を電源切換え回路 (I) １１３及び電源切換え回路 (II) １４８に送信することにより、電源をキャパシタ側と商用電源側との間で切換えることができることは、上記「実施形態１」の電源切換え回路１１３（図３）に関する説明、上記「実施形態２」の電源切換え回路 (II) １４８（図４）に関する記載に説明した通りである。よって、充電器１０７で検出しているキャパシタの充電電圧がフィードバックされるキャパシタ制御部１１２でこのキャパシタの充電電圧の低下により、キャパシタの電源が切れる直前の状態を判断し、供給電源を商用電源側に切換えることが可能になる。
【００２９】
図７は、OFF／SLEEPモードにおいて使用しているキャパシタの電源が切れる前に電源を商用電源側に切換え、電源の確保を可能にする電源供給動作の制御フロー図を示す。
図７に示す制御フローの前半のステップＳ２０１〜Ｓ２０６は、図６に示した制御フローのステップＳ１０１〜Ｓ１０６と同じであるから、図６を参照して行った上記の説明に代え、ここでは記載を省略する。
OFF／SLEEPモードにおいて電源を必要とする電気部品１１４、キャパシタ制御部１１２への電源供給は、キャパシタの電源を最大限に使用することが、ここでは命題であるから、この制御フローでは、ステップＳ２０１〜Ｓ２０６を実行することにより、OFF／SLEEPモードへの移行時に供給電源を切換え、その後、切換えたキャパシタバンク１０５からDDC１０８経由で供給される電源１２３、電源１４７をそれぞれ電気部品１１４、キャパシタ制御部１１２へ供給する（ステップＳ２０７）。
OFF／SLEEPモードの間、キャパシタの電源を供給し続けるが、この期間が長くなると、蓄電量が消費され使用限界に達する場合があるので、キャパシタ制御部１１２は、充電器１０７で検出され、フィードバック信号１５０として送信されてくるキャパシタの充電電圧を監視する（ステップＳ２０８）。
【００３０】
ここで、所定のタイミングで繰り返しチェックするキャパシタ充電電圧が、OFF／SLEEPモードにおいて電源を必要とする電気部品１１４、キャパシタ制御部１１２へ電源供給ができない電圧まで低下したときに、電気部品１１４、キャパシタ制御部１１２への電源を、キャパシタ側から、商用電源側に切換える（ステップＳ２０９）。即ち、キャパシタ制御部１１２は、電源切換え回路 (I) １１３及び電源切換え回路 (II) １４８にlowレベルの切換制御信号１１８を送信し、これまで電気部品１１４、キャパシタ制御部１１２にそれぞれ供給していたキャパシタ側の電源１２３、電源１４７から、商用電源側から電源部１２７経由で供給される電源１１９、電源１２５に切換える。
この電源切換を行ったときに、キャパシタからの放電を停止させる必要があるので、この放電停止動作を開始する（ステップＳ２１０）。キャパシタからの放電停止は、キャパシタ制御部１１２からDDC１０８に放電OFF信号１１７を送信し、放電OFF信号１１７に従ってDDC１０８でキャパシタバンク１０５から放電される電圧の変換を停止し、電源１２３、１４７の出力を０とする。
このとき、DDC１０８は、放電状態を検出し、検出時に放電状態をキャパシタ制御部１１２にフィードバック信号１５１として知らせる。従って、キャパシタ制御部１１２は、所定のタイミングで放電状態を知らせるフィードバック信号１５１をチェックし、チェック結果により、実際に放電を行っていない状態であることが確認できる（ステップＳ２１１-YES）まで、このフィードバック信号１５１のチェックを繰り返す。
キャパシタからの放電がなくなった状態であることを確認した（ステップＳ２１１-YES）後、この制御フローを抜ける。
【００３１】
図８は、上記した本発明の各実施形態の電源回路（図２、図４、図５）において、OFF／SLEEPモード時の電源制御動作によって供給される電力の変化を概念的に示す線図である。
図８の線図は、横軸に時間tを、縦軸に商用電源側の電源部１２７で必要な電力Wをとっている。時間軸上に示す期間(1)はOFF／SLEEPモード以外（画像形成動作モード、待機モード）の期間であり、期間(2)はOFF／SLEEPモードの期間を示している。
期間(1)においては、画像形成に必要な定着ヒータ等への電源供給を行うので、商用電源側の電源部１２７で必要な電力Wは、大きくなっており、OFF／SLEEPモードの期間(2)に移行すると、小電力になる。
期間(2)の電力は、OFF／SLEEPモード時に電力供給が必要な電気部品等（電気部品１１４、キャパシタ制御部１１２等）の全部を商用電源側の電源部１２７でまかなうとすると、図８中(5)のように、電力量W1で示される電源を必要とする。本実施形態では、図４、図５の電源回路において、キャパシタ側の電源が切れた後、商用電源側の電源部１２７から電気部品１１４、キャパシタ制御部１１２等へ電源を供給する場合（図７の制御フロー、参照）には、W1を必要とする。なお、従来装置（図１２）においては、OFF／SLEEPモード時に電力供給が必要な電気部品１１４へは、商用電源側の電源部１２７からの電源を供給するので、この場合にも相当する。
また、上記実施形態の電源回路（図２、図４、図５）の電源回路において、OFF／SLEEPモード時に電力供給が必要な電気部品等へキャパシタ側の電源を供給する場合には、商用電源側の電源部１２７では、図８中(4)のように、電力量W2で示される電源を必要とする。電力量W2は、OFF／SLEEPモード時にキャパシタ側の電源以外に、商用電源側の電源を使用していることを表しており、本実施形態では、主制御部（不図示）への電源や図２の実施形態に示した電源回路のように、キャパシタ制御部１１２への電源が、商用電源側の電源を供給しているからである。
従って、全部を商用電源側の電源でまかなう場合の電力量W1と、キャパシタ側の電源を使用する場合の電力量W2との差である、図８中(3)に示す分だけOFF／SLEEPモード時に商用電源側の電源部１２７で必要な電力が低減できる。
【００３２】
「実施形態４」
本実施形態は、サブ電源として設けた蓄電装置を備えた電源回路部として示した上記「実施形態３」の回路（図５）をベースに、OFF／SLEEPモード時に使用しているキャパシタ側の電源が完全に無くなったときに、キャパシタ制御部１１２へ供給している商用電源側の電源を遮断し、OFF／SLEEPモード時の電力を更に低減する仕組みを備えた電源回路部を示す。
この仕組みは、「実施形態３」の電源回路（図５）において、電源切換え回路 (II) １４８を介してキャパシタ制御部１１２に供給する商用電源側の電源１２５を遮断する制御手段を備えて、構成するものである。
図９は、サブ電源としての蓄電装置を備えた本実施形態に係る電源回路部の構成を示す。
図９に示す電源回路部において、商用電源側の電源を供給する主電源としての電源部１２７には、キャパシタ制御部１１２用の電源を生成するDDC１５５と、DDC１５５の出力ON／OFFをラッチ制御信号１５２、１５３により制御可能とするラッチ回路１５４を設ける。なお、図９に示す電源回路部は、DDC１５５とラッチ回路１５４を設け、電源部１２７でキャパシタ制御部１１２用の電源を遮断する構成を付加した点が「実施形態３」の電源回路（図５）と異なるが、それ以外は、ハードウェア構成上、違わない。
電源部１２７からキャパシタ制御部１１２に供給する電源１２５の遮断は、キャパシタ制御部１１２からのラッチをONする制御信号１５２により制御する。
キャパシタ制御部１１２は、OFF／SLEEPモード時に使用しているキャパシタ側の電源が完全に無くなったことを、例えば充電器１０７からのフィードバック信号１５０に示されるキャパシタの充電電圧により確認し、確認した時点でラッチをONする制御信号１５２を電源部１２７に送信する。
電源部１２７は、受取った制御信号１５２によって、ラッチ回路１５４を動作させ、DDC１５５をラッチし、切換え回路 (II) １４８へ出力していた電源１２５を遮断し、キャパシタ制御部１１２へ供給していた電源を切る。
なお、上記のようにして、キャパシタ制御部１１２に供給する電源１２５を遮断した後、再びキャパシタ制御部１１２を立ち上げるときには、ラッチ回路１５４のラッチを解除するが、このラッチをOFFする制御信号１５３は、主制御部（不図示）から発せられ、ラッチ回路１５４は、この制御信号１５３を受けて解除され、電源部１２７からの電源１２５がキャパシタ制御部１１２に供給される。
【００３３】
ここで、上記の構成を有する電源回路において、OFF／SLEEPモード時にキャパシタ制御部１１２へ供給している商用電源側の電源を遮断する制御動作をフローに従って、説明する。
図１０は、本実施形態に係わる電源供給動作の制御フロー図を示す。
この制御フローは、OFF／SLEEPモード時の制御動作の一環として、キャパシタ制御部１１２によって実行される。キャパシタ制御部１１２は、上記したような、OFF／SLEEPモード時のキャパシタ制御部１１２への電源供給の制御フロー（図７）によって、キャパシタ側の電源切れ後に、商用電源側の電源に切換えるが、この切換え時点で本制御フローを起動する。
この制御フローの始めに、OFF／SLEEPモード時に電力供給が必要な電気部品等（電気部品１１４、キャパシタ制御部１１２等）への供給電源を商用電源側の電源に切換え、電源供給を開始する（ステップＳ３０１）。即ち、キャパシタ制御部１１２は、電源切換え回路 (I) １１３及び電源切換え回路 (II) １４８により、これまで電気部品１１４、キャパシタ制御部１１２にそれぞれ供給していたキャパシタ側の電源１２３、電源１４７を切換えて、商用電源側から電源部１２７を介して電源１１９、電源１２５の供給を開始する。
この電源切換を行ったときに、キャパシタからの放電を停止させる必要があるので、この放電停止動作を開始する（ステップＳ３０２）。キャパシタからの放電停止は、キャパシタ制御部１１２からDDC１０８に放電OFF信号１１７を送信し、放電OFF信号１１７に従ってDDC１０８でキャパシタバンク１０５から放電される電圧の変換を停止し、電源１２３、１４７の出力を０とする。
このとき、DDC１０８は、放電状態を検出し、検出時に放電状態をキャパシタ制御部１１２にフィードバック信号１５１として知らせる。従って、キャパシタ制御部１１２は、所定のタイミングで放電状態を知らせるフィードバック信号１５１をチェックし、チェック結果により、実際に放電を行っていない状態であることが確認できる（ステップＳ３０３-YES）まで、このフィードバック信号１５１のチェックを繰り返す。
【００３４】
キャパシタからの放電がなくなった状態であることを確認した（ステップＳ３０３-YES）後、キャパシタ制御部１１２は、充電器１０７で検出され、フィードバック信号１５０として送信されてくるキャパシタの充電電圧を監視する（ステップＳ３０４）。
次いで、所定のタイミングで繰り返し監視するキャパシタ充電電圧が、キャパシタから全ての電源を放電した状態の電圧値にまで達したか、否かをチェックする（ステップＳ３０５）。
この放電状態のチェックで、キャパシタから全ての電源が放電された状態が確認できたときに（ステップＳ３０５-YES）、キャパシタ制御部１１２へ供給している商用電源側の電源１２５の供給を停止させる（ステップＳ３０６）。
この電源の供給停止動作は、キャパシタ制御部１１２の制御による。即ち、キャパシタ制御部１１２によって、商用電源側の電源を供給する電源部１２７内のラッチ回路１５４にラッチをONする制御信号１５２が送信され、この制御信号１５２を受取る電源部１２７では、ラッチをONする信号によりラッチ回路１５４を動作させ、DDC１５５をラッチし、切換え回路 (II) １４８へ出力していた電源１２５を遮断し、キャパシタ制御部１１２へ供給していた電源の供給を停止する。
上記した電源制御により、電源を供給する必要がないキャパシタ制御部１１２への電源の供給を停止することで、OFF／SLEEPモード時の電力を更に低減することが可能になる。
【００３５】
「実施形態５」
本実施形態は、上記実施形態に示した電源回路部にサブ電源として設けた蓄電装置にOFF／SLEEPモードへの移行に先立ち、蓄電装置へ充電を行うことを可能にし、OFF／SLEEPモード時に蓄電装置からの電力を長期に使用できるようにすることで、省電力に寄与し、動作を安定化させることを意図するものである。
この充電動作は、上記図５、図９の各実施形態に示した電源回路部のように、充電器１０７でキャパシタの充電状態を検出し、検出した充電状態をキャパシタ制御部１１２にフィードバックする手段を備えた構成があれば、以下に示す制御フローを実行することによって、実現が可能である。
図１１は、OFF／SLEEPモードへの移行時に行う、本実施形態に係わる充電動作の制御フロー図を示す。
図１１に示す制御フローは、OFF／SLEEPモード時の制御動作の一環として、主制御部（不図示）及びキャパシタ制御部１１２によって実行される。主制御部は、上記したような、電力供給が必要な電気部品等へキャパシタから電源を供給するOFF／SLEEPモードの動作に移行するのに先立ち、本制御フローを起動する。
本制御フローの始めに、OFF／SLEEPモードへの移行制御に必要な動作条件を整え（本制御フローを実行するための条件設定を含む）、移行の準備をする（ステップＳ４０１）。
【００３６】
次に、キャパシタバンク１０５が充電されていない場合に、後段で充電動作を行うので、この時点で、充電制御を行うキャパシタ制御部１１２が立上がっているかをチェックする（ステップＳ４０２）。ここで、キャパシタ制御部１１２が立上がっていなければ、キャパシタ制御部１１２へ電源を供給し、立ち上げる必要がある（ステップＳ４０３）。もしも、このときにキャパシタバンク１０５が全く充電されていない状態であれば、電源部１２７にラッチ解除信号１５３を送り、電源部１２７でラッチ回路１５４のラッチを解除することで、商用電源側からの電源を供給し、キャパシタ制御部１１２を立上げる操作を行う。
キャパシタ制御部１１２を立上げてから、キャパシタ制御部１１２に充電の開始を指示する。この指示に従い、キャパシタ制御部１１２は、充電器１０７に充電ON信号１１６を送ることで、キャパシタバンク１０５への充電を開始する（ステップＳ４０４）。
この後、キャパシタ制御部１１２は、充電器１０７で検出され、フィードバック信号１５０として送信されてくるキャパシタの充電電圧を監視し、監視している電圧から充電完了を判断する（ステップＳ４０５）。
所定のタイミングで繰り返しキャパシタの充電電圧を監視し、キャパシタの充電電圧が充電完了した状態の電圧値にまで達したと判断したときに（ステップＳ４０５-YES）、キャパシタ制御部１１２は、充電OFF信号１１６を送ることで、キャパシタバンク１０５への充電を停止する（ステップＳ４０６）。
キャパシタへの充電を停止させた後、OFF／SLEEPモードの動作に必要な制御に必要な動作条件を整えて、この動作モードへ移行し（ステップＳ４０７）、この制御フローを抜ける。
【図面の簡単な説明】
【００３７】
【図１】本発明の実施形態に係わる電子写真方式のカラー複写機をベースにしたＭＦＰの概略構成を示す。
【図２】サブ電源としての蓄電装置を備えた実施形態１に係る電源回路部の構成を示す。
【図３】図２に示した電源回路部における電源切換え回路の内部構成の１例を示す。
【図４】サブ電源としての蓄電装置を備えた実施形態２に係る電源回路部の構成を示す。
【図５】サブ電源としての蓄電装置を備えた実施形態３に係る電源回路部の構成を示す。
【図６】OFF／SLEEPモードへ移行する際の実施形態３に係わる電源供給動作の制御フロー図を示す。
【図７】OFF／SLEEPモードの使用キャパシタ電源が切れる前に、商用電源側の電源に切換える電源供給動作の制御フロー図を示す。
【図８】OFF／SLEEPモード時の電源制御動作によって供給される電力の変化を概念的に示す線図である。
【図９】サブ電源としての蓄電装置を備えた実施形態４に係る電源回路部の構成を示す。
【図１０】図９の電源回路部において、OFF／SLEEPモード時にキャパシタ制御部へ供給する商用電源側の電源を遮断する電源供給動作の制御フロー図を示す。
【図１１】図９の電源回路部において、OFF／SLEEPモードへの移行時に行う充電動作の制御フロー図を示す。
【図１２】主電源からの充電を受ける蓄電装置をサブ電源として用いる画像形成装置の電源回路の従来例を示す。
【符号の説明】
【００３８】
１・・画像形成部、２・・給紙部、３・・読取部、８・・定着装置、３６・・ＡＤＦ（自動原稿搬送装置）、６１・・感光体ドラム、６３・・現像装置、１０５・・蓄電装置（キャパシタバンク）、１０７・・充電器、１０８・・DC／DCコンバータ(DDC)、１１２・・キャパシタ制御部、１１３・・電源切換え回路 (I)、１１４・・OFF／SLEEPモード時に電力供給が必要な電気部品、１２７・・電源部（主電源）、１２８・・商用電源、１４８・・電源切換え回路 (II)、１４０・・定着ＤＣヒータ。
【図１】
2007240650.tif 000003
【図２】
2007240650.tif 000004
【図３】
2007240650.tif 000005
【図４】
2007240650.tif 000006
【図５】
2007240650.tif 000007
【図６】
2007240650.tif 000008
【図７】
2007240650.tif 000009
【図８】
2007240650.tif 000010
【図９】
2007240650.tif 000011
【図１０】
2007240650.tif 000012
【図１１】
2007240650.tif 000013
【図１２】
2007240650.tif 000014